(57)【要約】      （修正有）【課題】  光ヘッドの動作時に記録膜面の面ぶれによって発生する不快な騒音を低減し、光ディスク装置の動作音を低減する。【解決手段】  光ヘッドのケース１とアクチュエータカバー１８との間に、振動を低減する緩衝部材１９を配置し、カバーの振動を抑制することにより、記録膜面の面ぶれによって生じるアクチュエータカバーの振動で発生する騒音を低減することができる。【選択図】  図１
2006040492.tif 000002
【特許請求の範囲】
【請求項１】
光源と、前記光源から出射されたレーザ光を光ディスクの記録膜面上に集光する対物レンズと、前記対物レンズを光ディスクの任意の位置に集光させるレンズアクチュエータと、前記レンズアクチュエータを保護するアクチュエータカバーと、前記アクチュエータカバーを配置するケースと、を有し、前記アクチュエータカバーが前記ケースと緩衝材を介して固定されていることを特徴とする光ヘッド。
【請求項２】
前記緩衝材は、弾性材であることを特徴とする請求項１に記載の光ヘッド。
【請求項３】
音声を集音するマイクと、映像を撮像する撮像部と、前記マイクで集音された音声及び前記撮像部で撮像された映像を記録し再生する請求項１に記載の光ヘッドと、を有することを特徴とするビデオカメラ。
【発明の詳細な説明】
【技術分野】
【０００１】
本発明は、光ディスク上に情報の記録または再生を行う光ディスク装置に関し、そのうち特に光ディスク上の情報を光学的に検出して電気信号に変換する光ヘッド及びそれを使用するビデオカメラに関する。
【背景技術】
【０００２】
まず、従来技術を図４及び図５により説明する。図４および図５は従来の技術を用いた光ヘッドの構成の平面図及び断面図の一例である。
【０００３】
ケース１に取り付けられた半導体レーザ２から出射されたレーザ光３は偏光ビームスプリッタ４を透過し、コリメートレンズ５によって平行光束となる。コリメートレンズ５を透過したレ−ザ光３はタチアゲミラー６で反射して偏光回折格子７を通過し、対物レンズ８を経て光ディスク９の記録膜面上に集光される。光ディスク９の記録膜面から反射されたレーザ光３は上記とは逆の経路を通過して、偏光ビームスプリッタ４でレーザ光３を反射して方向を変え、レーザ光３の光束は光検出器１０に至り、光検出器１０の出力で光ディスク９の情報を再生するとともにレーザ光３の焦点と光ディスク９の記録膜面との位置ずれ信号、および記録トラックとの位置ずれ信号を検出する。
【０００４】
偏光回折格子７および対物レンズ８はレンズホルダ１１に搭載されており、レンズホルダ１１には４本のサスペンション１２のそれぞれ一端が固定され、他端はホルダ１４に固定されている。またレンズホルダ１１には図示しないコイルが取り付けられており、ヨーク１５、マグネット１７と組み合わせてボイスコイルモータを形成している。ヨーク１５は支持板１６によってホルダ１４と結合されており、ホルダ１４はケース１に接着剤１３で固定されている。前記構成は一般的に２次元アクチュエータと呼ばれており、図示しないコイルに電流を流すことでサスペンション１２によって弾性的に支持されたレンズホルダ１１およびレンズホルダ１１と一体の対物レンズ８と偏光回折格子７が、光ディスク９の面に垂直な方向と光ディスク９の半径方向の２次元空間内で移動することができる。（例えば、特許文献１及び２参照）
上記記録膜面及び記録トラックの二つの位置ずれ信号に基づいてレンズホルダ１１を前記２次元空間内で動かして光ディスク９の記録膜面上および記録トラック上にレーザ光３の焦点を正しく位置付ける。
【０００５】
さらに、他の従来技術では、ケース１内に配置された２次元アクチュエータのサスペンション１２の破損防止のため、および対物レンズ８と光ディスク９との衝突による破損防止のため、２次元アクチュエータを覆うようにアクチュエータカバー１８を設けている。対物レンズ８が光ディスク９と衝突する前にアクチュエータカバー１８とレンズホルダ１１が衝突するようにアクチュエータカバー１８の位置を設定することで対物レンズ８の破損防止になる。（例えば、特許文献３参照）
【特許文献１】特開２００３−２５７０４９号公報
【特許文献２】特開２００１−２１６６６５号公報
【特許文献３】特開２００４−６３０３１号公報
【発明の開示】
【発明が解決しようとする課題】
【０００６】
近年、光ヘッドを搭載する光ディスクビデオカメラが製品化されているが、このようなカメラではカメラ内部から発生する振動を搭載するマイクが拾うと騒音等の問題になる。
【０００７】
ところで、回転する光ディスク上の情報を読み書きするために記録膜面にアクチュエータで対物レンズを駆動すると、アクチュエータは光ディスクの記録膜面の面ぶれに伴って追従し動作することにより、ヨークに振動が発生する。ヨークの振動は支持板およびホルダを介してケースを含む光ヘッドに伝達し、ケースが振動する。
【０００８】
ここで、上記特許文献３に記載した従来技術では、アクチュエータカバーはケースとねじ止め、あるいはじかに接触させて板金のバネ性を利用した側圧でケースをはさみこむように固定されており、ケースの振動はそのままアクチュエータカバーに伝達される構造になっている。また、ケースに取り付けられたアクチュエータカバーが薄板の板金等で構成されているので、アクチュエータカバー自身がちょうどスピーカの振動板のようにふるまって振動を増幅してしまい、騒音が大きくなってしまうという問題があった。
【０００９】
特に、光ディスクビデオカメラの場合、前記の振動により発生する騒音はビデオカメラに搭載するマイクが上記光ヘッドの騒音を拾ってしまい、顧客満足度を下げてしまう結果となる。
【００１０】
本発明の目的は、アクチュエータカバーとケースとを緩衝材を介して固定することにより、光ヘッドから発生する騒音を抑える機構をもつ光ヘッド及びそれを用いたビデオカメラを提供することにある。
【課題を解決するための手段】
【００１１】
上記課題を解決するために本発明は、光源と、前記光源から出射されたレーザ光を光ディスクの記録膜面上に集光する対物レンズと、前記対物レンズを光ディスクの任意の位置に集光させる機能をもつレンズアクチュエータと、前記レンズアクチュエータを保護するアクチュエータカバーと、前記アクチュエータカバーを配置するケースを含み、前記アクチュエータカバーが前記ケースと緩衝材を介して固定されていることを特徴とする。すなわち、ケースに伝わったアクチュエータで発生する振動をアクチュエータカバーに伝達することを妨ぐために、アクチュエータカバーを緩衝材を介してケースに固定する構造にすることで、アクチュエータカバーの振動が小さくなり、アクチュエータカバーが振動板になって発生する騒音を少なくすることができる。
【００１２】
また、アクチュエータカバーとケースとを緩衝材を介して固定することにより、光ヘッドで発生する騒音を低減することが可能となり、本発明の光ヘッドを光ディスクビデオカメラに搭載することにより、不快な騒音の少ないビデオカメラを提供することが可能となる。
【発明の効果】
【００１３】
本発明によれば、使い勝手を向上した光ヘッド及びそれを用いたビデオカメラを提供することが可能となる。
【発明を実施するための最良の形態】
【００１４】
以下、本発明による光ヘッドを図を用いて説明する。
【００１５】
本発明の実施例を、図１および図２を用いて詳細に説明する。図１は本発明による実施例である光ヘッドの平面図、図２は本発明による実施例である光ヘッドの断面図を示す。
【００１６】
ケース１に取り付けられた半導体レーザ２から出射されたレーザ光３は偏光ビームスプリッタ４を透過し、コリメートレンズ５によって平行光束となる。コリメートレンズ５を透過したレ−ザ光３はタチアゲミラー６で反射して偏光回折格子７を通過し、対物レンズ８を経て光ディスク９の記録膜面上に集光される。光ディスク９の記録膜面から反射されたレーザ光３は上記とは逆の経路を通過して、偏光ビームスプリッタ４でレーザ光３を反射して方向を変え、レーザ光３の光束は光検出器１０に至り、光検出器１０の出力で光ディスク９の情報を再生するとともにレーザ光３の焦点と光ディスク９の記録膜面との位置ずれ信号、および記録トラックとの位置ずれ信号を検出する。
【００１７】
偏光回折格子７および対物レンズ８はレンズホルダ１１に搭載されており、レンズホルダ１１には４本のサスペンション１２のそれぞれ一端が固定され、他端はホルダ１４に固定されている。またレンズホルダ１１には図示しないコイルが取り付けられており、ヨーク１５、マグネット１７と組み合わせてボイスコイルモータを形成している。ヨーク１５は支持板１６によってホルダ１４と結合されており、ホルダ１４はケース１に接着剤１３で固定されている。前記構成のアクチュエータにおいて、図示しないコイルに電流を流すことでサスペンション１２によって弾性的に支持されたレンズホルダ１１およびレンズホルダ１１と一体の対物レンズ８と偏光回折格子７が、光ディスク９の面に垂直な方向と光ディスク９の半径方向の２次元空間内で移動することができる。上記記録膜面及び記録トラックの二つの位置ずれ信号に基づいてレンズホルダ１１を前記２次元空間内で動かして光ディスク９の記録膜面上および記録トラック上にレーザ光９の焦点を位置付けする。
【００１８】
ここで、本発明による光ヘッドでは、２次元アクチュエータの保護のため、２次元アクチュエータを覆うようにアクチュエータカバー１８を設けており、アクチュエータカバー１８は緩衝材１９を介してケース１に挟み込み固定されている。固定方法としては、緩衝材１９の両面とアクチュエータカバー１８、ケース１とを接着剤にて固定している。
【００１９】
このように構成することにより、ケース１に伝わったアクチュエータで発生する振動をアクチュエータカバー１８に伝達することを妨げるために、アクチュエータカバー１８の振動が小さくなり、アクチュエータカバー１８が振動板になって発生する騒音を少なくすることができる。
【００２０】
尚、アクチュエータで発生する振動がアクチュエータカバー１８に共振することで発生する騒音の場合には、アクチュエータカバー１８に穴等を開けて共振振動数をずらすことでも効果がある。しかしながら、光ディスクの記録膜面の面ぶれに伴って発生するアクチュエータの振動の周波数は一定ではない。そのため、穴明けによる方法では別の共振周波数で共振する場合があり、この場合は効果が少ない。それに対して、本発明による方法では、振動の周波数に関係なくアクチュエータカバー１８への振動を妨げられるので騒音低減に効果がある。
【００２１】
次に、上記光ヘッドを用いた光ディスク装置の構成の一例を、図３を用いて説明する。図３は本発明の実施例である光ヘッドによる光ディスクドライブの正面図を示す。光ディスク装置２０においては、光ディスク９がスピンドルモータ２１に取り付けられて回転し、光ディスク９上への映像情報の記録再生は、回路基板２２とフレキシブルケーブル２３によって電気的に接続された光ヘッド２４によって行う。光ヘッド２４は２本のガイドバー２５によってシャーシ２６に取り付けられており、ラック２７がシークモータ２８のリードスクリュー２９とかみ合って光ディスク９の半径方向に移動することができる。
【００２２】
回転する光ディスク９の記録膜面へレーザ光３の焦点を位置付けるようにレンズホルダ１１が追従するため、レンズホルダ１１では振動が発生し、その振動はボイスコイルモータを形成するマグネット１７およびヨーク１５に伝わり、さらにこの振動がヨーク１５を固定しているホルダ１４を介してケース１に伝達する。さらにケース１の振動がアクチュエータカバー１８に伝わろうとするが、アクチュエータカバー１８との間に設けた緩衝材１９により、アクチュエータカバー１８への振動は減衰し、そのことによりアクチュエータカバー１８から発生する騒音が低減できることになる。
【００２３】
ここで、緩衝材１９は弾性材であれば材質は構わない。例えばシリコンゴムでもよい。
【００２４】
また、本実施例では緩衝材１９の両面を接着剤にて固定したが、これに限るものではない。例えば、緩衝材１９として、ゲル状接着剤やシリコンゴムに粘着性のものを用いれば、アクチュエータカバー１８は緩衝材１９でケース１に固定できる。
【００２５】
尚、本発明による光ヘッドは、光ディスク装置や光ディスクを使用したビデオカメラ、再生装置、記録再生装置に使用される。
【図面の簡単な説明】
【００２６】
【図１】実施例である光ヘッドの平面図
【図２】実施例である光ヘッドの断面図。
【図３】実施例である光ヘッドによる光ディスクドライブの正面図
【図４】従来の技術における光ヘッドの平面図
【図５】従来の技術における光ヘッドの断面図
【符号の説明】
【００２７】
１−ケース、２−半導体レーザ、３−レーザ光、４−偏光ビームスプリッタ、
５−コリメートレンズ、６−タチアゲミラー、７−偏光回折格子、８−対物レンズ、
９−光ディスク、１０−光検出器、１１−レンズホルダ、１２−サスペンション、
１３−接着剤、１４−ホルダ、１５−ヨーク、１６−支持板、１７−マグネット、
１８−アクチュエータカバー、１９−緩衝材、２０−光ディスク装置、
２１−スピンドルモータ、２２−回路基板、２３−フレキシブルケーブル、
２４−光ヘッド、２５−ガイドバー、２６−シャーシ、２７−ラック、
２８−シークモータ、２９−リードスクリュー
【図１】
2006040492.tif 000003
【図２】
2006040492.tif 000004
【図３】
2006040492.tif 000005
【図４】
2006040492.tif 000006
【図５】
2006040492.tif 000007